(57)【要約】      （修正有）【課題】発光・受信部が靴に配備される場合において、目立って靴の外観を損なうおそれがなく、使用する靴に制約がなく、また、使用時に騒音を発することなく、自らの靴を他から容易に識別することが可能であり、更に、損傷や不使用時において交換したり、取り外したりすることが可能な靴識別装置を提供する。【解決手段】使用者が所持して手元操作する送信部１と、靴に配置される受信・発光部２とから成り、送信部１には、信号送信手段とそれを駆動するための電池が組み込まれ、前記受信・発光部には、前記送信部に対応する受光センサと、前記受光センサからの電気信号を受けて発光する発光素子と、それを駆動する電池が組み込まれ、受信・発光部２は、靴に対して着脱可能にされる。【選択図】図１
0003182092.tif 000002
【実用新案登録請求の範囲】
【請求項１】
使用者が所持して手元操作する送信部と、靴に配置される受信・発光部とから成り、前記送信部には、信号送信手段とそれを駆動するための電池が組み込まれ、前記受信・発光部には、前記送信部に対応する受光センサと、前記受光センサからの電気信号を受けて発光する発光素子と、それを駆動する電池が組み込まれ、前記受信・発光部は、前記靴に対して着脱可能であることを特徴とする靴識別装置。
【請求項２】
前記受信・発光部は透光樹脂製カバーで被覆した状態で前記靴の中敷の踵部及び／又は土踏まず部に着脱可能に埋設される、請求項１に記載の靴識別装置。
【請求項３】
前記受信・発光部は透光樹脂製カバーで被覆した状態で前記靴の中敷の踵部及び／又は土踏まず部に埋設され、前記中敷ごと交換可能にされる、請求項１に記載の靴識別装置。
【請求項４】
前記受信・発光部は高さ調整可能にされる、請求項２又は３に記載の靴識別装置。
【請求項５】
靴の一方の側の中敷に配置される前記受信・発光部と、他方の側の中敷に配置される、前記受信・発光部と同じ形状の突部とを含む、請求項２乃至４のいずれかに記載の靴識別装置。
【請求項６】
前記受信・発光部はクリップその他の靴に対する着脱手段を備え、前記着脱手段を介して前記靴に着脱可能である、請求項１に記載の靴識別装置。
【考案の詳細な説明】
【技術分野】
【０００１】
本考案は靴識別装置に関するものであり、より詳細には、多人数が集まる公共施設、集会所、飲食店、旅館等において、多数の靴の中から自らの靴を見つけ出す必要がある場合において、簡単確実に識別することを可能にする靴識別装置に関するものである。
【背景技術】
【０００２】
多人数が集まる公共施設、集会所、飲食店、旅館等において、靴を脱いで室内に入るような場合において、帰りに玄関先に多数並べ置かれた靴の中から自らの靴を見分ける必要のあることが少なくない。そのような場合、似通った靴が並ぶことが多く、その中から自らのものを見つけ出すことは必ずしも容易ではない。また、オープンタイプの多人数用下駄箱を利用した場合にも、同様のことが言える。
【０００３】
このような場合に対処するために、所有者の音声を識別して音と光を発するものが提案されているが（特開平１１−１９６９０６号公報）、その発明の場合は、回路構成が複雑となってコスト高となるだけでなく、複数人が同時に音声を発した場合に誤認識するおそれがあり、また、音声と音とが入り混じって騒音となるおそれがある。また、そこにおける受信部は外部の目立つ位置に配置されるため、使用に適する靴は、実際上、運動靴等に制約されることになる。更に、損傷や不使用時における交換や取り外しについての配慮がなされていない。
【先行技術文献】
【特許文献】
【０００４】
【特許文献１】特開平１１−１９６９０６号公報
【考案の概要】
【考案が解決しようとする課題】
【０００５】
上述したように、従来提案されている自らの靴を他から識別する機能を備えた靴は、各部の回路構成が複雑となってコスト高となるだけでなく、複数人が同時に音声を発した場合に誤認識するおそれがあり、また、音声と音とが入り混じって騒音となるおそれがあり、更に、使用に適する靴が限られ、また、損傷や不使用時における交換や取り外しについての配慮がなされていないといった問題があった。
【０００６】
そこで本考案は、そのような問題のない、即ち、発光・受信部が靴に配備される場合において、目立って靴の外観を損なうおそれがなく、使用する靴に制約がなく、また、使用時に騒音を発することなく、自らの靴を他から容易に識別することが可能であり、更に、損傷や不使用時において交換したり、取り外したりすることが可能な靴識別装置を提供することを課題とする。
【課題を解決するための手段】
【０００７】
上記課題を解決するための請求項１に記載の考案は、使用者が所持して手元操作する送信部と、靴に配置される受信・発光部とから成り、前記送信部には、信号送信手段とそれを駆動するための電池が組み込まれ、前記受信・発光部には、前記送信部に対応する受光センサと、前記受光センサからの電気信号を受けて発光する発光素子と、それを駆動する電池が組み込まれ、前記受信・発光部は、前記靴に対して着脱可能であることを特徴とする靴識別装置である。
【０００８】
一実施形態においては、前記受信・発光部は透光樹脂製カバーで被覆した状態で前記靴の中敷の踵部及び／又は土踏まず部に着脱可能に埋設され、他の実施形態においては、前記受信・発光部は透光樹脂製カバーで被覆した状態で前記靴の中敷の踵部及び／又は土踏まず部に埋設され、前記中敷ごと交換可能にされる。これらの場合において、前記受信・発光部を高さ調整可能にすることもある。
【０００９】
また、一実施形態においては、靴の一方の側の中敷に配置される前記受信・発光部と、他方の側の中敷に配置される、前記受信・発光部と同じ形状の突部とを含むものとされる。
【００１０】
更に一実施形態においては、前記受信・発光部はクリップその他の靴に対する着脱手段を備え、前記着脱手段を介して前記靴に着脱可能にされる。
【考案の効果】
【００１１】
本考案に係る靴識別装置は上記のようなシンプルな構成であって、受信・発光部は靴に常備され又は逐次取り付けられるが、いずれの場合においても靴に対して着脱可能であって、適宜交換することができ、また、使用を中止することもでき、使用時においては履用者が、その所持する送信部を靴方向に向けてスイッチオン操作をすることによって受信・発光部を発光させることにより、多数並ぶ靴のうちから自らの靴を容易に識別することが可能となる。
【００１２】
また、その識別操作の際に騒音等が発生することがないので、周囲に迷惑をかけることがなく、また、周囲に気付かれることなく操作することもでき、また、透光樹脂製カバーで被覆した状態で靴の内側に配置されることが多いために、外部から目立たず、靴の外観が損なわれることがなく、また、靴の種類を問わずに適用可能であり、特に、足裏になじむ硬さの透光樹脂製カバーで被覆した状態で靴の中敷の踵部又は土踏まず部に埋設した場合には、履用中に指圧効果が得られる効果がある。
【図面の簡単な説明】
【００１３】
【図１】本考案に係る靴識別装置の一実施形態の使用状態図である。
【図２】本考案に係る靴識別装置における受信・発光部の配置状態を示す図である。
【図３】本考案に係る靴識別装置の要部の縦断面図である。
【図４】本考案に係る靴識別装置の一実施形態の使用状態図である。
【図５】本考案に係る靴識別装置の一実施形態の使用状態図である。
【考案を実施するための形態】
【００１４】
本考案の実施の形態を添付図面を参照しつつ説明する。図１は、本考案に係る靴識別装置の使用状態を示すもので、本装置は、使用者が所持して手元操作する送信部１と、靴に配備される受信・発光部２とから成り、受信・発光部２は靴に対して着脱可能にされる。
【００１５】
図示してないが、送信部１には、例えば、赤外発光する発光ダイオード等の信号送信手段とそれを駆動するためのボタン電池等が組み込まれ、受信・発光部２には、送信部１に対応して、発光ダイオードからの赤外線等を受信する受光センサと、受光センサからの電気信号を受けて発光する発光素子と、それを駆動するボタン電池等が組み込まれる。発光素子としては、通例、ＬＥＤが用いられ、任意の色で発光させることができる。
【００１６】
通例、受信・発光部２は靴の内側に配置されるが、その場合は、送信部１からの信号を受けやすいようにするために、靴の中敷に配備することが好ましい。そして、より好ましくは、足裏になじむ硬さの透光樹脂製カバー３で被覆した状態で、靴の中敷４の踵部及び／又は土踏まず部に形成した凹部内に埋設することとする（図２、３）。
【００１７】
その場合の受信・発光部２は、透光樹脂製カバー３で被覆した状態で中敷４の踵部及び／又は土踏まず部に着脱可能に埋設することにより、靴に対して着脱可能にされ、あるいは、中敷４に固定状態に埋設して、中敷４を交換可能にすることにより、靴に対して着脱可能にされる。前者の場合の受信・発光部２は、例えば、中敷４に形成した凹部内に、無理なく剥離可能なレベルの粘着力により粘着させることとする。
【００１８】
これらの実施形態においては、受信・発光部２の高さを調整可能にすることもある。そのためには、例えば、透光樹脂製カバー３を被覆し得るサイズで、裏面に粘着剤を塗布した透光樹脂製カバー３と同様資材製の高さ調整シート５を用意し、透光樹脂製カバー３上に所望数被着していくこととすればよい（図４参照）。逆に、複数被着した状態で供給し、必要に応じて剥取していくこととしてもよい。また、経時的にへたって凹んだ場合にも、この高さ調整シート５を利用して高さを復元することができる。
【００１９】
また、受信・発光部２は、必ずしも左右双方に埋設する必要はなく、一方の側の中敷４にのみ配置すれば足りる。但し、そのようにした場合は左右の履用感が違ってくるので、履用感のバランスを取るために、他方の側の中敷４には、ＬＥＤやボタン電池等を除き、受信・発光部２と同じ態様及び形状の突部を埋設するようにすることもある。
【００２０】
更に一実施形態においては、受信・発光部２はクリップその他の靴に対する着脱手段を備え、その着脱手段を介して靴に着脱可能にされる。着脱手段としてクリップ６を用いる場合は、受信・発光部２を靴の履き口の任意の個所に配置することができる（図５参照）。
【００２１】
上記構成の靴識別装置を装備した靴の履用者が、多数並ぶ靴の中から自らの靴を識別するに際しては、その所持する送信部１を靴方向に向けてスイッチオン操作をする。それにより送信部１から信号が発せられ、それを受信した受信・発光部２の発光素子が発光し、透光樹脂製カバー３を通して視認可能となる。かくして、自らの靴を容易に識別することができるが、その際に騒音等が発生することがないので、周囲に迷惑をかけるおそれがなく、また、周囲に気付かれることなく操作することが可能である。
【００２２】
また、透光樹脂製カバー３で被覆した状態で靴の内側に配置されるために、外部から目立たず、外観が損なわれることはなく、靴の種類を問わずに適用可能である。特に、足裏になじむ硬さの透光樹脂製カバー３で被覆した状態で靴の中敷４の踵部又は土踏まず部に埋設した場合には、履用中に指圧効果が得られる。また、電池切れ等の際に交換することが可能であり、使用しなくなった場合には、取り外すことができる。
【００２３】
この考案をある程度詳細にその最も好ましい実施形態について説明してきたが、この考案の精神と範囲に反することなしに広範に異なる実施形態を構成することができることは明白である。従って、この考案は、添付請求の範囲において限定した以外はその特定の実施形態に制約されるものではない。
【符号の説明】
【００２４】
１    送信部
２    受信・発光部
３    透光樹脂製カバー
４    中敷
５    高さ調整シート
６    クリップ
【図１】
0003182092.tif 000003
【図２】
0003182092.tif 000004
【図３】
0003182092.tif 000005
【図４】
0003182092.tif 000006
【図５】
0003182092.tif 000007